(57)【特許請求の範囲】
【請求項１】
管体の外壁に合成樹脂が被覆された合成樹脂被覆管とこの合成樹脂被覆管の端部に取着された連結材とこの連結材に嵌合取着される端末キャップからなる合成樹脂被覆管の端末キャップ取着構造に於いて、この連結材が外径が管体内径と略同寸となされ、内壁に係合部が形成された筒状部とこの筒状部の一端に形成された外径が管体外径と略同寸となされた鍔状体からなり、前記端末キャップが管体の外径と略同径の蓋体とこの蓋体の裏面に前記連結材の係合部に係止されるように形成された係止部からなり、管体端部にこの連結材の筒状部が挿入され鍔状体が管体端面に当接取着され、管体を被覆する合成樹脂層が管体端部の連結材より突出され、この連結材に端末キャップの係止部が挿入され係合部に係止取着されたことを特徴とする合成樹脂被覆管の端末キャップ取着構造。
【請求項２】
端末キャップの表面が合成樹脂層の端面と面一となされたことを特徴とする請求項１記載の合成樹脂被覆管の端末キャップ取着構造。
【発明の詳細な説明】
【０００１】
【発明の属する技術分野】
本発明は、柵の支柱などに用いられる合成樹脂被覆管の端末キャップ取着構造に関する。
【０００２】
【従来の技術】
従来、合成樹脂被覆管の端末キャップ取着構造は合成樹脂被覆管の端部に合成樹脂被覆管の外径より大径のキャップが被されたオーバーキャップタイプのキャップや管体に合成樹脂を被覆した合成樹脂被覆管の端部に内嵌合キャップを挿入、管体に被覆された合成樹脂層に内嵌合キャップを溶着したものが知られていた。
【０００３】
【発明が解決しようとする課題】
しかしながら上記の如きオーバーキャップタイプのキャップ取着構造に於いては合成樹脂被覆管の外径より大きなキャップが取着されるため端末部が出っ張り、使用する場所によっては人体や衣服に引っかかるという問題があり、景観上も好ましいものではなかった。又、管体に被覆された合成樹脂層に内嵌合キャップを溶着したものに於いては施工時合成樹脂被覆管の端末にキャップが取着されているので合成樹脂被覆管の開口端部からの施工ができないという問題があった。
【０００４】
そこで本発明者は従来の欠点に鑑み鋭意研究の結果、合成樹脂被覆管から出っ張ることがなく、施工現場で後付けできる合成樹脂被覆管の端末キャップ取着構造を提供するものである。
【０００５】
【課題を解決するための手段】
本発明請求項１記載の合成樹脂被覆管の端末キャップ取着構造は管体の外壁に合成樹脂が被覆された合成樹脂被覆管とこの合成樹脂被覆管の端部に取着された連結材とこの連結材に嵌合取着される端末キャップからなる合成樹脂被覆管の端末キャップ取着構造に於いて、この連結材が外径が管体内径と略同寸となされ、内壁に係合部が形成された筒状部とこの筒状部の一端に形成された外径が管体外径と略同寸となされた鍔状体からなり、前記端末キャップが管体の外径と略同径の蓋体とこの蓋体の裏面に前記連結材の係合部に係止されるように形成された係止部からなり、管体端部にこの連結材の筒状部が挿入され鍔状体が管体端面に当接取着され、管体を被覆する合成樹脂層が管体端部の連結材より突出され、この連結材に端末キャップの係止部が挿入され係合部に係止取着されたもので、蓋体が合成樹脂被覆管外径より小径で出っ張ることがなく、蓋体を合成樹脂被覆体の端部に押し込むだけで容易に取着することができる。
【０００６】
又、本発明請求項２記載の合成樹脂被覆管の端末キャップ取着構造は端末キャップの表面が合成樹脂層の端面と面一となされたもので、合成樹脂被覆管の端部に出っ張りがない。
【０００７】
【発明の実施の形態】
以下、図面を参照しながら本発明に付いて説明する。
図１は本発明合成樹脂被覆管の端末キャップ取着構造の実施形態の一例を示す合成樹脂被覆管の端部の断面図である。
【０００８】
管体１は円筒形状で端部に連結材２が挿入され、管体１と共に合成樹脂で被覆されている。連結材２は管体１の端部に挿入され、管体１と共に合成樹脂で被覆され、連結材２の鍔状体２２が合成樹脂に溶着されている。この筒状部２１の内壁に形成された係合部２３に端末キャップ３の蓋体３２裏面に形成された係止部３１が係止され、端末キャップ３が合成樹脂被覆管の端部に取着されている。管体１は円筒形状と前記したが、角形など適宜断面形状でよく、一般には鋼管などの金属管から作製されるが、合成樹脂管などで作製されてもよい。
【０００９】
連結材２は筒状部２１とこの筒状部２１の端部に設けられた鍔状体２２からなり、筒状部２１は外径が管体１の内径と略同寸法となされ、鍔状体２２は外径が管体１外径と略同寸法となされている。筒状部２１の内壁には断面鋸歯形状の係合部２３が全周に亘って形成されている。連結材２は金属を鋳造して作製されてもよいし、合成樹脂を成型して作製されてもよいが、管体１に被覆される合成樹脂と相溶性のある合成樹脂で作製されれば合成樹脂層４と容易に溶着されるので好ましい。
【００１０】
管体１の外壁に合成樹脂が被覆形成される合成樹脂層４は管体１の端部に取着された連結材２の鍔状体２２より前記蓋体３２の厚みだけ突出して形成され、端末キャップ３が合成樹脂被覆管の端部に取着されたとき端末キャップ３の表面と合成樹脂層４の端部に段差が生じず端部が人体や衣服に引っかかるという問題がない。又、合成樹脂層４の縁端は曲面状に形成され、角部が残らないようになされている。合成樹脂層４は一般にポリエチレンやポリプロピレンポリ塩化ビニルなど適宜合成樹脂で作製されるが、合成樹脂の発泡体により形成されてもよい。
【００１１】
端末キャップ３は円筒形状でこの外壁に断面鋸歯形状に形成された係止部３１とこの係止部３１の一端に設けられた蓋体３２からなり、係止部３１は前記連結材２の内壁に設けられた係合部２３に適合した形状寸法となされている。蓋体３２は前記合成樹脂層４の内径と略同径の板状体で前記係止部３１の一端に設けられ、端末キャップ３が管体１端部に取着されると合成樹脂被覆管の内部を隠蔽するようになされている。端末キャップは鋼板などの金属板を折曲して作製されてもよいし、金属を鋳造して作製されてもよいが、一般には合成樹脂を成型して作製される。
【００１２】
次に本発明合成樹脂被覆管の端末キャップ取着構造による防護柵の施工方法について説明する。
本発明合成樹脂被覆管の側壁にビーム取付用孔が設けられ支柱Ａとなされている。支柱Ａの上端の端末キャップ３は施工前には取着されておらず、このビーム取付用孔にメイキャップ６が挿入され、このメイキャップ６にビームパイプＢが挿入され、このビームパイプＢの先端部に貫通して設けられた透孔に取付ピン５が支柱上部の開口端から挿入され、ビームパイプＢの抜け止めとなされている。取付ピン５の挿入後支柱上端に端末キャップ３が挿入され施工が完了する。
【００１３】
【発明の効果】
上述の如く、本発明請求項１記載の合成樹脂被覆管の端末キャップ取着構造は管体の外壁に合成樹脂が被覆された合成樹脂被覆管とこの合成樹脂被覆管の端部に取着された連結材とこの連結材に嵌合取着される端末キャップからなる合成樹脂被覆管の端末キャップ取着構造に於いて、この連結材が外径が管体内径と略同寸となされ、内壁に係合部が形成された筒状部とこの筒状部の一端に形成された外径が管体外径と略同寸となされた鍔状体からなり、前記端末キャップが管体の外径と略同径の蓋体とこの蓋体の裏面に前記連結材の係合部に係止されるように形成された係止部からなり、管体端部にこの連結材の筒状部が挿入され鍔状体が管体端面に当接取着され、管体を被覆する合成樹脂層が管体端部の連結材より突出され、この連結材に端末キャップの係止部が挿入され係合部に係止取着されたもので、蓋体が合成樹脂被覆管外径より小径で出っ張ることがなく、蓋体を合成樹脂被覆体の端部に押し込むだけで容易に取着することができる。この為、この合成樹脂被覆管の端末キャップ取着構造による合成樹脂被覆管が防護柵の支柱などに用いられれば、歩行者や歩行者の衣服が引っかかったりすることがなく安全な支柱となされる。又施工後キャップが容易に取着されるので、支柱上端の開口部から前記したように容易に作業することができ防護柵の型式にかかわらず容易に施工できる。又、連結材は管体内壁に沿って取着されるので、管体内径が同一であれば合成樹脂被覆管の外径が異なっても同一の連結材が使用でき、図１、図４に示すように合成樹脂層の厚みが異なっても共通の連結材、端末キャップが使用でき、部品の共通化がはかれ好適な端末キャップ取着構造となされる。
【００１４】
又、本発明請求項２記載の合成樹脂被覆管の端末キャップ取着構造は端末キャップの表面が合成樹脂層の端面と面一となされたもので、合成樹脂被覆管の端部に出っ張りがない。合成樹脂被覆管の端末に角部がなく、人の手指が触れても怪我をさせることがない。
【図面の簡単な説明】
【図１】本発明合成樹脂被覆管の端末キャップ取着構造の実施形態の一例を示す合成樹脂被覆管の端末の断面図である。
【図２】本発明合成樹脂被覆管の端末キャップ取着構造による防護柵の実施形態の一例を示す正面図である。
【図３】図１の要部の拡大図である。
【図４】本発明合成樹脂被覆管の端末キャップ取着構造の実施形態の他の例を示す合成樹脂被覆管の端末の一部切り欠き詳細図である。
【符号の説明】
１    管体
２    連結材
２１  筒状部
２２  鍔状体
２３  係合部
３    端末キャップ
３１  係止部
３２  蓋体
４    合成樹脂層
５    取付ピン
６    メイキャップ
Ａ    支柱
Ｂ    ビームパイプ
【図１】
0003615639.tif 000002
【図２】
0003615639.tif 000003
【図３】
0003615639.tif 000004
【図４】
0003615639.tif 000005